(57)【特許請求の範囲】
【請求項１】
対向する一対の揺動部材をケース外側に突出させ、突出した前記揺動部材の先端直線部にそれぞれ施療子を装着し、前記先端直線部を駆動機構により接近・離間させて、前記施療子により揉みマッサージを行うマッサージ機において、
前記施療子に前記揺動部材の先端直線部を挿入可能な有底孔を設けると共に、前記施療子に弾性変形可能な舌部を設け、また、前記舌部の先端に前記有底孔内に突出した突部を形成し、かつ、前記先端直線部には、前記先端直線部を前記有底孔に挿入した際に、前記突部が進入する溝を設け、前記施療子に加えた前記先端直線部長手方向への荷重により、前記突部が前記溝から外れて、前記施療子を前記揺動部材から脱落可能としたことを特徴とするマッサージ機。
【請求項２】
前記揺動部材は弾性を有することを特徴とする請求項１記載のマッサージ機。
【発明の詳細な説明】
【０００１】
【発明の属する技術分野】
本発明は、対向する一対の揺動部材を駆動機構により駆動して揺動部材に装着した施療子により揉みマッサージを行わせるマッサージ機に関する。
【０００２】
【従来の技術】
従来より、特開平５−１５５６０号公報にあるように、モータにより回転される回転軸にカムを取り付け、カムの回転により一対の揺動部材を接近・離間させて施療子に揉みマッサージを行わせるマッサージ機が知られている。また、一対の施療子の間隔を患部に応じて可変できるようにするために、左右ねじを形成したねじ軸を設け、ねじ軸を回転させて一対の施療子の間隔を変更できるようにしている。
【０００３】
【発明が解決しようとする課題】
しかしながら、こうした従来のものでは、例えば、一対の施療子の間隔を狭めて、一対の施療子により腕を挟むようにして揉みマッサージを受ける際に、施療子の間隔が狭すぎたりすると、一対の施療子の間に腕を挟んだ状態で、揺動部材の駆動が停止してしまう場合がある。このような場合、不快に感じるだけでなく、腕が簡単には外れず、快適なマッサージを受けられないという問題があった。
【０００４】
本発明の課題は、一対の施療子間に患部を挟んでも、簡単に外すことができるマッサージ機を提供することにある。
【０００５】
【課題を解決するための手段】
かかる課題を達成すべく、本発明は課題を解決するため次の手段を取った。即ち、
対向する一対の揺動部材をケース外側に突出させ、突出した前記揺動部材の先端直線部にそれぞれ施療子を装着し、前記先端直線部を駆動機構により接近・離間させて、前記施療子により揉みマッサージを行うマッサージ機において、
前記施療子に前記揺動部材の先端直線部を挿入可能な有底孔を設けると共に、前記施療子に弾性変形可能な舌部を設け、また、前記舌部の先端に前記有底孔内に突出した突部を形成し、かつ、前記先端直線部には、前記先端直線部を前記有底孔に挿入した際に、前記突部が進入する溝を設け、前記施療子に加えた前記先端直線部長手方向への荷重により、前記突部が前記溝から外れて、前記施療子を前記揺動部材から脱落可能としたことを特徴とするマッサージ機がそれである。
【０００６】
また、前記揺動部材は弾性を有する材料で形成してもよい。
【０００７】
【発明の実施の形態】
以下本発明の実施の形態を図面に基づいて詳細に説明する。
図１に示すように、１は本体ケースで、本体ケース１内には電動モータ２が収納されている。本体ケース１内にはギヤケース４が形成されており、電動モータ２の回転軸に取り付けられたウォームギヤ６が、ギヤケース４内に挿入されている。
【０００８】
ウォームギヤ６には、ギヤケース４に回転可能に支持された支持軸８と一体のホイールギヤ１０が噛合されており、支持軸８には小歯車１２が一体に取り付けられている。小歯車１２にはギヤケース４に回転可能に支持された回転軸１４に一体に取り付けられた大歯車１６が噛合されている。
【０００９】
回転軸１４は、本体ケース１から外部に突出されており、本体ケース１から突出した回転軸１４には、一対の傾斜カム２０，２２が所定間隔で取り付けられている。一対の傾斜カム２０，２２にはそれぞれ揺動部材２４，２６が係合されている。本体ケース１から突出した回転軸１４は、筒状の収納ケース２８内に収納されており、また、収納ケース２８に形成された一対の軸受け部３０，３２に回転可能に挿入されている。
【００１０】
一方の傾斜カム２０は、回転軸１４に形成されたキー溝１４ａに図示しないキーを介して一体的に回転する第１カム部３４を備え、第１カム部３４は回転軸１４と同軸上に軸部３４ａを備えている。また、第１カム部３４には回転軸１４の軸方向に対して傾斜した傾斜面３４ｂが形成されており、傾斜面３４ｂと平行な傾斜面３６ａを有する第２カム部３６が第１カム部３４に一体的に回転するように嵌着されている。軸部３４ａには揺動部材２４が回転可能に装着されており、また、揺動部材２４は両傾斜面３４ｂ，３６ａにより挟持されている。
【００１１】
揺動部材２４は、収納ケース２８に形成された細長い開口３８から収納ケース２８の外側に突出されている。また、揺動部材２４の一端は収納ケース２８に形成された回転軸１４の軸方向と平行な溝４０に挿入されて、収納ケース２８と揺動部材２４との相対的回転を規制している。
【００１２】
また、他方の傾斜カム２２は、回転軸１４の軸方向に摺動できないように係止されている点で傾斜カム２０と異なるが、その他の点については、他方の傾斜カム２２及び揺動部材２６は傾斜カム２０及び揺動部材２４と同様な構成であるので詳細な説明を省略する。尚、本実施形態では、電動モータ２、ウォームギヤ６、支持軸８、ホイールギヤ１０、小歯車１２、回転軸１４、大歯車１６、一対の傾斜カム２０，２２により駆動機構４１を構成している。
【００１３】
収納ケース２８は、図１に示すように、本体ケース１に挿入されると共に、本体ケース１に摺動可能に設けられた規制部材４２により、収納ケース２８と本体ケース１との相対的な回転が規制される。尚、本体ケース１と収納ケース２８とは、一体に形成してもよい。
【００１４】
一方、収納ケース２８の外周には、操作筒４４が摺動可能に装着されると共に、図示しない解除ボタンの操作により操作筒４４の移動と、操作筒４４の移動の規制とを選択できるように構成されている。第１カム部３４には、連結部材４６が回転可能に嵌着されており、また、第１カム部３４に装着された止め輪４８により抜け止めが図られている。
【００１５】
連結部材４６は、操作筒４４に係合されており、操作筒４４を収納ケース２８の外周に沿って移動させることにより、連結部材４６を介して、第１カム部３４を回転軸１４に沿って移動できるように構成されている。図示しない解除ボタンを操作して操作筒４４を移動することにより、一対の揺動部材２４，２６間の間隔を患部に合わせて調整できるように構成されている。
【００１６】
また、収納ケース２８から突き出されている一対の揺動部材２４，２６の先端直線部２４ａ，２６ａには、それぞれ施療子５０，５２が装着されている。一対の揺動部材２４，２６は、弾性材料により形成されており、後述する揉みマッサージの際には適度な剛性を有し、施療子５０，５２を脱落させる際には弾性変形する程度の弾性とされている。
【００１７】
また、図２に示すように、揺動部材２４，２６は、直線状に形成されており、図１に示すように、駆動機構４１により揺動部材２４，２６が「ハ」字状の状態と逆「ハ」字状の状態との間で、接近・離間する運動をするように構成されている。
【００１８】
図２，３に示すように、施療子５０は、芯部材５４の外側を硬質ゴム等からなる外皮部材５６により覆われて形成されている。芯部材５４には、その中心に有底孔５８が形成されており、有底孔５８の底には一対の突起６０，６２が形成されている。有底孔５８は揺動部材２４の先端直線部２４ａ，２６ａに隙間なく嵌入できる大きさに形成されている。
【００１９】
芯部材５４には、有底孔５８の開口側から底に向かって平行な一対の切欠６４，６６が形成されて、弾性変形可能な舌部６８が構成されている。舌部６８の先端には有底孔５８内に突出した突部７０が形成されている。突部７０は両側面が傾斜した山型に形成されている。
【００２０】
揺動部材２４には、揺動部材２４の先端直線部２４ａ，２６ａを有底孔５８に挿入して、先端が突起６０，６２に接触した状態の時に、突部７０が進入する一対の溝７２，７４が両面にそれぞれ形成されている。即ち、施療子５０を１８０度反転させた状態で、先端直線部２４ａを有底孔５８に挿入すると、突部７０をどちらかの溝７２，７４に進入させることができるように構成されている。
【００２１】
また、使用者が施療子５０を先端直線部２４ａの長手方向外側に引くと、突部７０が溝７２，７４から外れて、施療子５０を引き抜くことができるように、舌部６８の弾性や突部７０の形状が決定されている。一方、これにより、後述する施療子５０による揉みマッサージを行っているときに、負荷により施療子５０が先端直線部２４ａから抜けないように適度な抵抗を付与して、施療子５０を先端直線部２４ａに保持するようにも構成されている。尚、本実施形態では、舌部６８、突部７０、溝７２，７４により保持機構７６が構成されている。
【００２２】
施療子５０には、小さな曲率で形成され他方の施療子５２に向かって突出された強揉み部５０ａと、その反対側に大きな曲率で形成されたなだらかな弱揉み部５０ｂとが形成されている。施療子５０は、この様なものに限らず、球状のものでもよく、あるいは交換して使用するようにしてもよい。尚、他方の揺動部材２６及び施療子５２も同様の構成であるので、詳細な説明を省略する。
【００２３】
次に、前述した本実施形態のマッサージ機の作動について説明する。
まず、電動モータ２が駆動されると、ウォームギヤ６、ホイールギヤ１０、支持軸８、小歯車１２、大歯車１６を介して回転軸１４が回転駆動される。回転軸１４の回転により、一対の傾斜カム２０，２２が回転する。両揺動部材２４，２６は溝４０により回転軸１４の廻りの回転が規制されているので、両傾斜面３４ｂ，３６ａの回転軸１４廻りの回転により、両揺動部材２４，２６は、図１に示すように、両揺動部材２４，２６が接近したり離間したりする揉みマッサージ運動をする。一対の施療子５０，５２を患部に当てて揉みマッサージを受けることができる。
【００２４】
両施療子５０，５２の間隔を患部に合わせて変更する場合には、操作筒４４を手で握って、操作筒４４を収納ケース２８に沿って摺動させる。これにより、連結部材４６を介して第１カム部３４が回転軸１４に沿って移動する。これに伴って、揺動部材２４が第１カム部３４と共に回転軸１４に沿って移動する。両施療子５０，５２の間隔が患部に応じた適当な間隔となったときには、操作筒４４の移動を停止する。
【００２５】
例えば、患部としての腕を一対の施療子５０，５２の間に挟んだ状態で揉みマッサージを受けているときに、施療子５０，５２の間に腕を挟み込んで、電動モータ２の負荷が過大となり、電動モータ２の回転が停止した状態となることがある。
【００２６】
この状態では、腕が施療子５０，５２により挟まれて、電動モータ２のトルクに応じた力で挟まれ、そのままでは腕を両施療子５０，５２の間から外すことができなくなる。このような場合には、腕を揺動部材２４，２６の先端直線部２４ａ，２６ａの長手方向外側に動かして、施療子５０，５２に荷重を加える。
【００２７】
これにより、突部７０が外側に押し出されて舌部６８が弾性変形し、両施療子５０，５２の突部７０が溝７２から外れて、施療子５０，５２が先端直線部２４ａ，２６ａの長手方向に摺動し、施療子５０，５２が揺動部材２４，２６から脱落する。
【００２８】
その際、両揺動部材２４，２６が図１に実線で示すように「ハ」字状の状態になっていても、揺動部材２４，２６が外側に弾性変形して、施療子５０，５２を引き抜いて脱落させることができる。よって、腕が両施療子５０，５２の間から容易に外れ、両施療子５０，５２を揺動部材２４，２６の先端に装着して、再び揉みマッサージを受けることができる。
【００２９】
以上本発明はこの様な実施形態に何等限定されるものではなく、本発明の要旨を逸脱しない範囲において種々なる態様で実施し得る。
【００３０】
【発明の効果】
以上詳述したように本発明のマッサージ機は、患部を一対の施療子の間に挟んだときに、施療子に揺動部材の先端直線部長手方向への荷重を加えると、施療子が揺動部材から脱落し、患部を解放できるという効果を奏する。
【００３１】
また、弾性を有する揺動部材を用いると、施療子を脱落させる際に揺動部材が弾性変形して、脱落が容易になる。
【図面の簡単な説明】
【図１】本発明の一実施形態としてのマッサージ機の要部断面図である。
【図２】本実施形態の揺動部材と施療子の拡大断面図である。
【図３】図２のＡＡ断面図である。
【符号の説明】
１…本体ケース      ２４，２６…揺動部材
２４ａ，２６ａ…先端直線部
２８…収納ケース    ４１…駆動機構
５０，５２…施療子  ５８…有底孔
７０…突部          ７２，７４…溝
７６…保持機構
【図１】
0003967444.tif 000002
【図２】
0003967444.tif 000003
【図３】
0003967444.tif 000004